【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】
サーバ型のコンテンツ配信システムであって、
番組を構成するデータ・ストリームと選局のための制御情報並びに番組情報からなるコンテンツを配信するコンテンツ配信サーバと、
番組を構成するデータ・ストリームと選局のための制御情報並びに番組情報を受信し、一旦蓄積した後に再生するコンテンツ受信クライアントとを備え、
前記配信サーバは、選局のための制御情報又は番組情報のセクションにコンテンツの著作権保護に関する制御情報を挿入してコンテンツを配信し、
前記コンテンツ受信クライアントは、選局のための制御情報又は番組情報のセクションに挿入されているコンテンツの著作権保護に関する制御情報に従って、蓄積したコンテンツの再生処理動作又は録画予約処理動作を制御する、
ことを特徴とするコンテンツ配信システム。
【請求項２】
コンテンツの著作権保護に関する制御情報は、コンテンツのコピーに関する制御情報と、蓄積されたコンテンツに関する再生制御情報を含めることができ、
前記の再生制御情報は、コンテンツの再生回数、コンテンツ再生時の表示解像度の制限、コンテンツ再生の有効期限を含む、
ことを特徴とする請求項１に記載のコンテンツ配信システム。
【請求項３】
前記受信クライアントは、蓄積されたコンテンツに関する再生制御情報が選局のための制御情報又は番組情報のセクションに含まれている場合には、該再生制御情報に記述されているコンテンツの再生回数、コンテンツ再生時の表示解像度の制限、コンテンツ再生の有効期限に基づいて、コンテンツの再生動作又は録画予約動作を制御する、
ことを特徴とする請求項２に記載のコンテンツ配信システム。
【請求項４】
前記受信クライアントは、蓄積されたコンテンツに関する再生制御情報が選局のための制御情報又は番組情報のセクションに含まれていない場合には、コンテンツのコピーに関する制御情報に記述されているコンテンツのコピー世代管理用の記録制御データに基づいてコンテンツの再生動作又は録画予約動作を制御する、
ことを特徴とする請求項２に記載のコンテンツ配信システム。
【請求項５】
番組を構成するデータ・ストリームを蓄積する手段と、
番組に関する選局のための制御情報並びに番組情報を生成する手段と、
番組を構成するデータ・ストリームと選局のための制御情報並びに番組情報からなるコンテンツを送信する手段とを備え、
前記の生成手段は選局のための制御情報又は番組情報のセクションにコンテンツの著作権保護に関する制御情報を挿入し、又は、前記の送信手段は選局のための制御情報又は番組情報のセクションにコンテンツの著作権保護に関する制御情報を挿入して送信する、
ことを特徴とするコンテンツ配信装置。
【請求項６】
コンテンツの著作権保護に関する制御情報は、コンテンツのコピーに関する制御情報と、蓄積されたコンテンツに関する再生制御情報を含めることができ、
前記の再生制御情報は、コンテンツの再生回数、コンテンツ再生時の表示解像度の制限、コンテンツ再生の有効期限を含む、
ことを特徴とする請求項５に記載のコンテンツ配信装置。
【請求項７】
コンテンツを受信し再生するコンテンツ記録再生装置であって、
番組を構成するデータ・ストリームと選局のための制御情報並びに番組情報からなるコンテンツを受信する受信手段と、
受信したコンテンツを蓄積する蓄積手段と、
前記蓄積手段に蓄積されているコンテンツを再生する再生手段とを備え、
前記蓄積手段は選局のための制御情報又は番組情報のセクションに挿入されているコンテンツの著作権保護に関する制御情報に従ってコンテンツの録画予約処理動作を制御し、又は、前記再生手段は選局のための制御情報又は番組情報のセクションに挿入されているコンテンツの著作権保護に関する制御情報に従って蓄積したコンテンツの再生処理動作を制御する、
ことを特徴とするコンテンツ記録再生装置。
【請求項８】
コンテンツの著作権保護に関する制御情報は、コンテンツのコピーに関する制御情報と、蓄積されたコンテンツに関する再生制御情報を含めることができ、
前記の再生制御情報は、コンテンツの再生回数、コンテンツ再生時の表示解像度の制限、コンテンツ再生の有効期限を含む、
ことを特徴とする請求項７に記載のコンテンツ記録再生装置。
【請求項９】
蓄積されたコンテンツに関する再生制御情報が選局のための制御情報又は番組情報のセクションに含まれている場合には、前記蓄積手段は該再生制御情報に記述されているコンテンツの再生回数、コンテンツ再生時の表示解像度の制限、コンテンツ再生の有効期限に基づいてコンテンツの録画予約処理動作を制御し、又は、前記再生手段は該再生制御情報に記述されているコンテンツの再生回数、コンテンツ再生時の表示解像度の制限、コンテンツ再生の有効期限に基づいてコンテンツの再生処理動作を制御する、
ことを特徴とする請求項８に記載のコンテンツ記録再生装置。
【請求項１０】
蓄積されたコンテンツに関する再生制御情報が選局のための制御情報又は番組情報のセクションに含まれていない場合には、前記蓄積手段はコンテンツのコピーに関する制御情報に記述されているコンテンツのコピー世代管理用の記録制御データに基づいてコンテンツの録画予約処理動作を制御し、又は、前記再生手段はコンテンツのコピーに関する制御情報に記述されているコンテンツのコピー世代管理用の記録制御データに基づいてコンテンツの再生処理動作を制御する、
ことを特徴とする請求項８に記載のコンテンツ記録再生装置。
【請求項１１】
コンテンツを受信し再生するコンテンツ記録再生方法であって、
番組を構成するデータ・ストリームと選局のための制御情報並びに番組情報からなるコンテンツを受信する受信ステップと、
受信したコンテンツを蓄積する蓄積ステップと、
前記蓄積ステップにおいて蓄積されたコンテンツを再生する再生ステップとを備え、
前記蓄積ステップでは選局のための制御情報又は番組情報のセクションに挿入されているコンテンツの著作権保護に関する制御情報に従ってコンテンツの録画予約処理動作を制御し、又は、前記再生ステップでは選局のための制御情報又は番組情報のセクションに挿入されているコンテンツの著作権保護に関する制御情報に従って蓄積したコンテンツの再生処理動作を制御する、
ことを特徴とするコンテンツ記録再生方法。
【請求項１２】
コンテンツの著作権保護に関する制御情報は、コンテンツのコピーに関する制御情報と、蓄積されたコンテンツに関する再生制御情報を含めることができ、
前記の再生制御情報は、コンテンツの再生回数、コンテンツ再生時の表示解像度の制限、コンテンツ再生の有効期限を含む、
ことを特徴とする請求項１１に記載のコンテンツ記録再生方法。
【請求項１３】
蓄積されたコンテンツに関する再生制御情報が選局のための制御情報又は番組情報のセクションに含まれている場合には、前記蓄積ステップでは該再生制御情報に記述されているコンテンツの再生回数、コンテンツ再生時の表示解像度の制限、コンテンツ再生の有効期限に基づいてコンテンツの録画予約処理動作を制御し、又は、前記再生ステップでは該再生制御情報に記述されているコンテンツの再生回数、コンテンツ再生時の表示解像度の制限、コンテンツ再生の有効期限に基づいてコンテンツの再生処理動作を制御する、
ことを特徴とする請求項１２に記載のコンテンツ記録再生方法。
【請求項１４】
蓄積されたコンテンツに関する再生制御情報が選局のための制御情報又は番組情報のセクションに含まれていない場合には、前記蓄積ステップではコンテンツのコピーに関する制御情報に記述されているコンテンツのコピー世代管理用の記録制御データに基づいてコンテンツの録画予約処理動作を制御し、又は、前記再生ステップではコンテンツのコピーに関する制御情報に記述されているコンテンツのコピー世代管理用の記録制御データに基づいてコンテンツの再生処理動作を制御する、
ことを特徴とする請求項１２に記載のコンテンツ記録再生方法。
【請求項１５】
コンテンツを受信し再生するための処理をコンピュータ上で実行するようにコンピュータ可読形式で記述されたコンピュータ・プログラムであって、前記コンピュータに対し、
番組を構成するデータ・ストリームと選局のための制御情報並びに番組情報からなるコンテンツを受信する受信手順と、
受信したコンテンツを蓄積する蓄積手順と、
前記蓄積ステップにおいて蓄積されたコンテンツを再生する再生手順を実行させ、
前記蓄積手順では選局のための制御情報又は番組情報のセクションに挿入されているコンテンツの著作権保護に関する制御情報に従ってコンテンツの録画予約処理動作を制御し、又は、前記再生手順では選局のための制御情報又は、番組情報のセクションに挿入されているコンテンツの著作権保護に関する制御情報に従って蓄積したコンテンツの再生処理動作を制御する、
ことを特徴とするコンピュータ・プログラム。